(57)【要約】【課題】  受容体シート上に形成された画像を見ることの妨げにはならない複写防止用の印を受容体シート上に添付し、該添付した複写防止用印を検知した際に、受容体シート上に形成された画像の複写を禁止することで、受容体シート上に形成された画像の複写を防止する複写防止受容体シートを提供する。【解決手段】  帯電防止剤または導電剤の少なくとも１つの表面固有抵抗値を下げる物質３を複写防止用の印として、印刷画像２が形成された受容体シート１上に塗布してなる複写防止受容体シートを形成する。【選択図】  図１
2005055754.tif 000002
【特許請求の範囲】
【請求項１】
画像が形成された受容体シートの画像形成面上に、表面固有抵抗値が１０8 Ω以下となる物質を塗布してなることを特徴とする複写防止受容体シート。
【請求項２】
前記画像形成面とは反対側となる面に、前記表面固有抵抗値が１０8 Ω以下となる物質を塗布してなることを特徴とする請求項２記載の複写防止受容体シート。
【請求項３】
前記表面固有抵抗値が１０8 Ω以下となる物質は、
帯電防止剤または導電剤の少なくとも１つの物質を含んで構成されてなることを特徴とする請求項１または２記載の複写防止受容体シート。
【請求項４】
前記帯電防止剤または前記導電剤として、カオチン性水溶性高分子を適用することを特徴とする請求項３記載の複写防止受容体シート。
【請求項５】
所定の受容体シート上にトナー像を形成する画像形成手段と、
前記画像形成手段により形成されたトナー像の形成面上に、表面固有抵抗値が１０8 Ω以下となる物質を塗布する複写防止剤塗布手段と、
を有することを特徴とする複写防止画像形成装置。
【請求項６】
前記トナー像の形成面とは反対側となる前記受容体シート面上に、表面固有抵抗値が１０8 Ω以下となる物質を塗布する第２の複写防止剤塗布手段を更に有することを特徴とする請求項５記載の複写防止画像形成装置。
【請求項７】
前記表面固有抵抗値が１０8 Ω以下となる物質は、
帯電防止剤または導電剤の少なくとも１つの物質を含んで構成されてなることを特徴とする請求項５または６記載の複写防止画像形成装置。
【請求項８】
所定の受容体シートの画像を読み取る読取手段と、
前記受容体シートの表面固有抵抗値を測定する測定手段と、
前記測定手段により測定した表面固有抵抗値が、所定の閾値を満たしていないと判定した場合に、前記受容体シートの複写を拒絶する複写防止手段と、
を有することを特徴とする複写防止画像形成装置。
【請求項９】
前記測定手段は、
前記読取手段により前記受容体シートの画像を読み取る際に、前記受容体シートを搬送する自動原稿送り装置に設置してなることを特徴とする請求項８記載の複写防止画像形成装置。
【請求項１０】
前記計測手段は、
前記読取手段の具備するコンタクトガラス面に設置してなることを特徴とする請求項８または９記載の複写防止画像形成装置。
【請求項１１】
前記計測手段は、
前記読取手段により前記受容体シートの画像を読み取る側とは、反対側となる受容体シート面に接する位置に設置してなることを特徴とする請求項８から１０の何れか１項に記載の複写防止画像形成装置。
【請求項１２】
請求項５から７の何れか１項に記載の複写防止画像形成装置と、請求項８から１１の何れか１項に記載の複写防止画像形成装置と、を一体化したことを特徴とする複写防止画像形成装置。
【請求項１３】
所定の受容体シート上にトナー像を形成する画像形成手段と、前記受容体シート上に表面固有抵抗値が１０8 Ω以下となる物質を塗布する複写防止剤塗布手段と、を有する複写防止画像形成装置を用いて行う複写防止画像形成方法であって、
前記画像形成手段により前記受容体シート上にトナー像を形成する画像形成工程と、
前記画像形成工程により形成されたトナー像の形成面上に、前記複写防止剤塗布手段により表面固有抵抗値が１０8 Ω以下となる物質を塗布する複写防止剤塗布工程と、
を行うことを特徴とする複写防止画像形成方法。
【請求項１４】
前記画像形成工程により形成されたトナー像の形成面とは反対側となる受容体シート面に、前記複写防止剤塗布手段により表面固有抵抗値が１０8 Ω以下となる物質を塗布する第２の複写防止剤塗布工程を行うことを特徴とする請求項１３記載の複写防止画像形成方法。
【請求項１５】
前記表面固有抵抗値が１０8 Ω以下となる物質は、
帯電防止剤または導電剤の少なくとも１つの物質を含んで構成されてなることを特徴とする請求項１３または１４記載の複写防止画像形成方法。
【請求項１６】
所定の受容体シートの画像を読み取る読取手段と、前記受容体シートの表面固有抵抗値を測定する測定手段と、前記受容体シートの複写を拒絶する複写防止手段と、を有する複写防止画像形成装置を用いて行う複写防止方法であって、
所定の受容体シートの画像を前記読取手段により読み取る読取工程と、
前記受容体シートの表面固有抵抗値を前記測定手段により測定する測定工程と、
前記測定工程により測定した表面固有抵抗値が、所定の閾値を満たしていないと判定した場合に、前記複写防止手段が前記受容体シートの複写を拒絶する複写防止工程と、
を行うことを特徴とする複写防止方法。
【発明の詳細な説明】
【技術分野】
【０００１】
本発明は、複写防止受容体シート、複写防止画像形成装置、複写防止画像形成方法および複写防止方法に関し、特に、受容体シート上に形成された画像の複写を適切に防止する複写防止受容体シート、複写防止画像形成装置、複写防止画像形成方法および複写防止方法に関するものである。
【背景技術】
【０００２】
近年、複写技術のデジタル化が進み、同一原稿から多数枚の複写物が簡単に得られるようになり、事務作業の省力化が図られているが、その反面、機密書類も容易に複写できることから、複写物による機密漏洩が大きな問題となっている。
【０００３】
このようなことから、本発明より先に出願された技術文献として、電子写真法複写機で、その上に原稿に対応するトナー画像を形成して複写物を作成するための電子写真用受容シートであり、樹脂フィルム上に鏡面光沢を有する厚さ３００Å〜１μｍの金属層を、面積１〜５０ｃｍ2 の島状に、かつ該島状部相互の間に巾２μｍ〜２ｍｍの間隔を有するように平面状に設け、さらにその上に樹脂からなる透明な絶縁層を設けることで、電子写真法複写機により鮮明で判読できるトナー画像が容易にえられるけれども、えられた複写物は複写原稿として使用しえない再複写防止電子写真用受容シートがある（例えば、特許文献１参照）。
【０００４】
また、所定のシート状の表面に少なくとも１種類の選択反射性液晶により再複写防止画像の形成された再複写防止層を設けることで、複写防止層上に複写装置等の画像形成装置で形成される形成画像の再複写を適切に防止するとともに、当該形成画像からの光のみを透過させるフィルム等を用いて形成画像を鮮明に視認できる安価な再複写防止シートがある（例えば、特許文献２参照）。
【０００５】
また、網点を配列集合させて形成される細帯状体を多数所定の間隔で平行に配列して背景を形成し、該背景における複数の細帯状態に渡って非潜像部と潜像部とを有し、該潜像部に配列集合させる網点の線数を非潜像部に配列集合させる網点の線数より少なくした複写防止用印刷物がある（例えば、特許文献３参照）。
【特許文献１】特公平７−６２７８０号公報
【特許文献２】特開２００１−４２７１１号公報
【特許文献３】特開２００２−２００８３５号公報
【発明の開示】
【発明が解決しようとする課題】
【０００６】
上記特許文献１は、極めて薄い金属層を島状に形成し、かつ、狭い間隔で金属層を多数形成することで、複写の際に金属層の反射により画像が飛び複写を防止する再複写防止電子写真用受容シートであるが、このようなシートの作成費用は高くつき、再複写防止電子写真用受容シートが高価なものになるとの問題がある。
【０００７】
また、上記特許文献２は、複写防止層を設け、形成画像からの光のみを透過させるフィルム等を用いて、形成画像を鮮明に視認できる安価な再複写防止シートであるが、再複写防止層上に複写装置等の画像形成装置で画像を形成することから、画像を形成する前に一度、複写防止層をシート上に設ける必要がある。
【０００８】
また、上記特許文献３は、複写後に正本と複写物とを容易に区別できるが、本来の画像の視認性が悪くなる虞がある。
【０００９】
本発明は上記事情に鑑みてなされたものであり、受容体シート上に形成された画像を見ることの妨げにはならない複写防止用の印を受容体シート上に添付し、該添付した複写防止用印を検知した際に、受容体シート上に形成された画像の複写を禁止することで、受容体シート上に形成された画像の複写を防止する複写防止受容体シート、複写防止画像形成装置、複写防止画像形成方法および複写防止方法を提供することを目的とするものである。
【課題を解決するための手段】
【００１０】
かかる目的を達成するために本発明は以下の特徴を有する。
【００１１】
請求項１記載の発明は、画像が形成された受容体シートの画像形成面上に、表面固有抵抗値が１０8 Ω以下となる物質を塗布してなることを特徴とする。
【００１２】
請求項２記載の発明は、請求項２記載の複写防止受容体シートにおいて、画像形成面とは反対側となる面に、表面固有抵抗値が１０8 Ω以下となる物質を塗布してなることを特徴とする。
【００１３】
請求項３記載の発明は、請求項１または２記載の複写防止受容体シートにおいて、表面固有抵抗値が１０8 Ω以下となる物質は、帯電防止剤または導電剤の少なくとも１つの物質を含んで構成されてなることを特徴とする。
【００１４】
請求項４記載の発明は、請求項３記載の複写防止受容体シートにおいて、帯電防止剤または導電剤として、カオチン性水溶性高分子を適用することを特徴とする。
【００１５】
請求項５記載の発明は、所定の受容体シート上にトナー像を形成する画像形成手段と、画像形成手段により形成されたトナー像の形成面上に、表面固有抵抗値が１０8 Ω以下となる物質を塗布する複写防止剤塗布手段と、を有することを特徴とする。
【００１６】
請求項６記載の発明は、請求項５記載の複写防止画像形成装置において、トナー像の形成面とは反対側となる受容体シート面上に、表面固有抵抗値が１０8 Ω以下となる物質を塗布する第２の複写防止剤塗布手段を更に有することを特徴とする。
【００１７】
請求項７記載の発明は、請求項５または６記載の複写防止画像形成装置において、表面固有抵抗値が１０8 Ω以下となる物質は、帯電防止剤または導電剤の少なくとも１つの物質を含んで構成されてなることを特徴とする。
【００１８】
請求項８記載の発明は、所定の受容体シートの画像を読み取る読取手段と、受容体シートの表面固有抵抗値を測定する測定手段と、測定手段により測定した表面固有抵抗値が、所定の閾値を満たしていないと判定した場合に、受容体シートの複写を拒絶する複写防止手段と、を有することを特徴とする。
【００１９】
請求項９記載の発明は、請求項８記載の複写防止画像形成装置において、測定手段は、読取手段により受容体シートの画像を読み取る際に、受容体シートを搬送する自動原稿送り装置に設置してなることを特徴とする。
【００２０】
請求項１０記載の発明は、請求項８または９記載の複写防止画像形成装置において、計測手段は、読取手段の具備するコンタクトガラス面に設置してなることを特徴とする。
【００２１】
請求項１１記載の発明は、請求項８から１０の何れか１項に記載の複写防止画像形成装置において、計測手段は、読取手段により受容体シートの画像を読み取る側とは、反対側となる受容体シート面に接する位置に設置してなることを特徴とする。
【００２２】
請求項１２記載の発明は、請求項５から７の何れか１項に記載の複写防止画像形成装置と、請求項８から１１の何れか１項に記載の複写防止画像形成装置と、を一体化したことを特徴とする。
【００２３】
請求項１３記載の発明は、所定の受容体シート上にトナー像を形成する画像形成手段と、受容体シート上に表面固有抵抗値が１０8 Ω以下となる物質を塗布する複写防止剤塗布手段と、を有する複写防止画像形成装置を用いて行う複写防止画像形成方法であって、画像形成手段により受容体シート上にトナー像を形成する画像形成工程と、画像形成工程により形成されたトナー像の形成面上に、複写防止剤塗布手段により表面固有抵抗値が１０8 Ω以下となる物質を塗布する複写防止剤塗布工程と、を行うことを特徴とする。
【００２４】
請求項１４記載の発明は、請求項１３記載の複写防止画像形成方法において、画像形成工程により形成されたトナー像の形成面とは反対側となる受容体シート面に、複写防止剤塗布手段により表面固有抵抗値が１０8 Ω以下となる物質を塗布する第２の複写防止剤塗布工程を行うことを特徴とする。
【００２５】
請求項１５記載の発明は、請求項１３または１４記載の複写防止画像形成方法において、表面固有抵抗値が１０8 Ω以下となる物質は、帯電防止剤または導電剤の少なくとも１つの物質を含んで構成されてなることを特徴とする。
【００２６】
請求項１６記載の発明は、所定の受容体シートの画像を読み取る読取手段と、受容体シートの表面固有抵抗値を測定する測定手段と、受容体シートの複写を拒絶する複写防止手段と、を有する複写防止画像形成装置を用いて行う複写防止方法であって、所定の受容体シートの画像を読取手段により読み取る読取工程と、受容体シートの表面固有抵抗値を測定手段により測定する測定工程と、測定工程により測定した表面固有抵抗値が、所定の閾値を満たしていないと判定した場合に、複写防止手段が受容体シートの複写を拒絶する複写防止工程と、を行うことを特徴とする。
【発明の効果】
【００２７】
本発明にかかる複写防止受容体シートは、トナー像が形成された受容体シートの画像形成面上に、表面固有抵抗値が１０8 Ω以下となる物質を塗布してなることで、複写時に、受容体シート上に形成された画像の複写を禁止することが可能となる。
【００２８】
また、本発明にかかる複写防止画像形成装置、複写防止画像形成方法は、受容体シート上に形成した画像の複写を防止したい複写防止受容体シートを形成することが可能となる。
【００２９】
また、本発明にかかる複写防止画像形成装置、複写防止方法は、受容体シートの表面固有抵抗値を測定し、その測定値が所定の閾値を満たしていないと判定した場合に、受容体シートの複写を禁止することが可能となる。
【発明を実施するための最良の形態】
【００３０】
本発明は、複写機、プリンタ、ＦＡＸなどの電子写真法画像形成装置において受容体シート上に画像を形成した後に、複写禁止の属性を持つことを容易に判別できる複写防止印を受容体シート上に塗布し、複写防止印が添付された受容体シートを作成する。そして、電子写真法画像形成装置において、受容体シート上に形成した画像を複写する際に、その受容体シート上に添付した複写防止印を検知することで、その受容体シート上の画像の複写を拒否することを特徴とするものである。なお、受容体シートは、複写機、プリンタ、ＦＡＸ等の画像形成装置に使用される記録紙や、ＯＨＰ用紙等の画像を印刷可能な公知のシートを示唆するものである。
【実施例１】
【００３１】
まず、図１を参照しながら、本発明にかかる第１の実施例について説明する。
【００３２】
本発明にかかる複写防止受容体シートは、図１に示すように、帯電防止剤または導電剤の少なくとも１つの表面固有抵抗値を下げる物質３を、複写防止用の印として印刷画像２が形成された受容体シート１上に塗布してなることを特徴とするものである。
【００３３】
電子写真法では受容体シートの表面固有抵抗値が高いこと、つまり、受容体シートが絶縁体であることを利用して受容体シートに静電気を発生させ、感光体または中間転写体からトナー像を受容体シート上に転写することで、受容体シート上にトナー像を形成することになる。すなわち、電子写真法で受容体シート上に画像を形成するには、受容体シートの表面固有抵抗値が高いことが条件となり、表面固有抵抗値が１０8 Ω以上必要であり、通常は表面固有抵抗値が１０12Ωを超えるシートが適用されている。従って、表面固有抵抗値が低い受容体シートは、電子写真法に用いられる受容体シートとして適切ではないことから、表面固有抵抗値が１０8 Ω以下の受容体シートが複写時に検知されることはないので、本実施例では、表面固有抵抗値を下げる物質を複写防止印として使用することが可能となる。
【００３４】
なお、表面固有抵抗値を下げるには一般に、帯電防止剤や導電剤と呼ばれるものが適用される。なお、帯電防止剤や導電剤として適用される物質としては、低分子化合物と高分子化合物がある。高分子には大別して非イオン性のものとイオン性のものとがあり、非イオン性のものとしてはポリエーテル基を持つ高分子が挙げられる。なお、一番シンプルなものはポリエチレングリコール、またはその誘導体が挙げられる。
【００３５】
また、イオン性の物質としては大別すると、カチオン性の物質とアニオン性の物質とに分けられる。カチオン性の物質としては第４級アンモニウム塩型の水溶性高分子がある。この第４級アンモニウム塩型の水溶性高分子としては、例えば、第４級アンモニウム塩型スチレン重合体、第４級アンモニウム塩型アミノアルキル（メタ）アクリレート重合体、第４級アンモニウム塩型ジアクリルアミン重合体などが挙げられる。また、アニオン性の物質としてはスルホン酸塩型スチレン重合体などが挙げられる。
【００３６】
例えば、カチオン性水溶性高分子は、低湿度でも高い導電性を発揮し、湿度が２０％以上であれば表面固有抵抗値を１０8 Ω以下に下げることが可能となる。なお、湿度が２０％というのは画像形成装置が通常使用される環境としては十分な湿度である。
【００３７】
従って、電子写真法による複写機、プリンタ、ＦＡＸなどの画像形成装置において、図２に示すように、受容体シートへのトナー像の定着が完了した後に、塗布用ローラ２５を用いて帯電防止剤や導電剤を受容体シート上に塗布することで、複写防止用の印が添付された複写防止受容体シートを形成することが可能となる。以下、図２を参照しながら、本実施例における複写防止受容体シートの形成方法について説明する。
【００３８】
まず、感光体ドラム２０上に静電潜像を形成し、現像部２１により感光体ドラム２０上にトナー像を形成する。そして、感光体ドラム２０上に形成したトナー像を転写ベルト２２上に転写させる。次に、搬送ベルト２３上に保持されつつ搬送されてきた受容体シートに対して、転写ベルト２２からトナー像を転写し、定着部２４にて、受容体シート上に転写されたトナー像を定着することになる。そして、最後に塗布用ローラ２５にて、受容体シート上に帯電防止剤や導電剤を塗布することになる。これにより、複写防止用の印が添付された複写防止受容体シートが形成されることになる。
【００３９】
なお、帯電防止剤や導電剤は一般に透明であるので、受容体シート上に形成された画像を見ることに関しては特に問題がなく、複写時に検知可能な複写防止の印を受容体シート上に添付することが可能となる。
【００４０】
また、帯電防止剤や導電剤を受容体シートに塗布する領域は、受容体シートの全面に塗布する必要はなく、受容体シートを複写する際に、受容体シートに添付された複写防止用の印を検知可能な程度の領域に塗布すればよい。例えば、図１を例に説明すると、受容体シート１の画像形成面２の一部分３の領域に帯電防止剤や導電剤を塗布すれば良いことになる。
【００４１】
なお、帯電防止剤や導電剤を受容体シート上に塗布しても、受容体シートの一部分である場合は、受容体シート上に形成されるトナー像を見る際に影響は少ない。しかし、受容体シートが複写禁止物であることを利用者に対して意識させたい場合には、図１に示すように画像が形成される面に対して帯電防止剤や導電剤を塗布すればよいことになる。なお、利用者にあまり意識させたくないときには、図３に示すように画像が形成される面とは反対側の面３１に対して帯電防止剤や導電剤を受容体シート３０の一部分３２に塗布すれば良い。但し、複写禁止物である受容体シートを、複写時に確実に検知するためには、受容体シートの両面に帯電防止剤や導電剤を塗布するほうが好ましい。
【００４２】
なお、受容体シートに塗布する帯電防止剤や導電剤としては、カチオン性水溶性高分子を適用することが好ましい。これは、カチオン性水溶性高分子を適用することで、広い湿度範囲で確実に表面固有抵抗値を１０8 Ω以下に下げることが可能となるためである。
【００４３】
なお、受容体シートに添付された複写防止印を複写時に検知するには、画像形成装置のスキャナ部分に対して表面固有抵抗値を測定するための測定器を設置し、受容体シート上に形成された画像を読み取る際に、受容体シートの表面固有抵抗値を測定し、その測定した値が閾値より低い場合には、画像の読み取り処理を拒否することで不正な複写を防止することが可能となる。
【００４４】
なお、スキャナ部分対して表面固有抵抗値の測定器を設置する場所としては、図４に示すように、多量の書類をコピーする際に必ず利用するスキャナ部分の自動原稿搬送装置（ＡＤＦ）のフィードローラ９や、リバースローラ１０に設置し、受容体シートが自動原稿搬送装置（ＡＤＦ）のローラを通過するごとに測定する。
【００４５】
また、一枚ずつコピーする際に、画像形成面に付与された複写防止印を検知可能なように図５に示すように、スキャナ５０のコンタクトガラス５１上に設置することも可能である。スキャナ５０のコンタクトガラス５１の上に透明な導電性の電極５２を一定間隔で並べ、その電極間の抵抗値を測定器５３で測定することにより、コンタクトガラス５１上におかれた受容体シートの表面固有抵抗値を測定する。なお、図５に示す電極間の抵抗値を測定する際のイメージ図は、一対の電極間５２しか測定していない図を示唆しているが、本来はすべての電極間５２で行うべきであり、電極間５２を測定しているすべての対のうち、一つでも閾値を下回れば、受容体シート上に形成された画像の複写を拒否するようにすることとする。また、図５に示すイメージ図では、電極を横にしているが、縦でも良く、特に限定しない。また、画像形成面の反対側の面に付与された複写防止印を検知可能なようにスキャナの天板上、または、紙搬送シート上に、上述した図５と同様な装置を設置する。なお、天板上に設置する装置も基本的には、上述した図５と同じ方法で測定すればよい。なお、確実に複写防止印を検知可能なようにするためには、スキャナのコンタクトガラス上と、スキャナの天板上と、紙搬送シート上と、の３箇所に設置することが望ましい。
【００４６】
なお、上述する実施例は、本発明の好適な実施例であり、本発明の要旨を逸脱しない範囲内において種々変更実施が可能である。例えば、本実施例においては、図２に示す画像形成装置を用いて説明したが、帯電防止剤または導電剤の少なくとも１つの物資を受容体シート上に塗布する構成を構築できれば、画像形成装置の構成は特に限定せず、あらゆる画像形成装置が適用可能である。また、本発明にかかる複写防止受容体シートは、画像形成装置のみならず、あらゆる印刷装置を適用して、最終的に、受容体シート上に、表面固有抵抗値が１０8 Ω以下となる物質を塗布してなる複写防止受容体シートを形成することは可能である。また、表面固有抵抗値が１０8 Ω以下となる物質として、帯電防止剤または導電剤を挙げたが、１０8 Ω以下となる物質であれば、複写防止受容体シートに適用可能である。
【産業上の利用可能性】
【００４７】
本発明にかかる複写防止受容体シートは、重要文書等のように複製を防止する必要のある印刷物に適用可能である。
【図面の簡単な説明】
【００４８】
【図１】本発明にかかる複写防止受容体シートの画像形成面の構成例を示す図である。
【図２】本発明にかかる複写防止受容体シートを形成可能な画像形成装置の一例を示す図である。
【図３】本発明にかかる複写防止受容体シートの画像形成面とは反対となる面の構成を示す図である。
【図４】画像形成装置の具備するスキャナ部分対して表面固有抵抗値の測定器を設置する場所を示す第１の図である。
【図５】画像形成装置の具備するスキャナ部分対して表面固有抵抗値の測定器を設置する場所を示す第２の図である。
【符号の説明】
【００４９】
１、３０    受容体シート
２、３１    画像形成面
３、３２    複写防止印
９    フィードローラ
１０    リバースローラ
２０    感光体ドラム
２１    現像部
２２    転写ベルト
２３    搬送ベルト
２４    定着部
２５    塗布用ローラ
５０    スキャナ
５１    コンタクトガラス
５２    電極
５３    測定器
【図１】
2005055754.tif 000003
【図２】
2005055754.tif 000004
【図３】
2005055754.tif 000005
【図４】
2005055754.tif 000006
【図５】
2005055754.tif 000007